(57)【要約】【課題】仮名漢字変換用の辞書を格納する記憶装置の容量を肥大化させることなく、かつ文字の編集操作と統一した操作で所望の画像を文書中に挿入することができるようにする。【解決手段】入力される仮名文字列に対し、変換候補となる複数の画像データについて前記画像データベースに記憶された画像データ群とのリンク情報を記憶した画像リンクテーブルと、入力された仮名文字列に対する変換指示操作時に、当該仮名文字列に対応するリンク情報を画像リンクテーブルから検索し、検索結果のリンク情報で示される画像データ群をサーバに要求する手段と、サーバから返信された画像データ群を変換候補の画像データとして表示装置画面に表示する手段とを備える。【選択図】        図１
2005010952.tif 000002
【特許請求の範囲】
【請求項１】
入力装置から入力された仮名文字列を辞書を参照して漢字混じり文字列に変換し、表示装置画面に表示するクライアントと、画像データを記憶した画像データベースを有し、前記クライアントからの要求に応じた画像データを通信回線を介して返信するサーバとから成る情報処理システムであって、
前記クライアントが、
前記入力装置から入力される仮名文字列に対し、変換候補となる複数の画像データについて前記画像データベースに記憶された画像データ群とのリンク情報を記憶した画像リンクテーブルと、前記入力装置から入力された仮名文字列に対する変換指示操作時に、当該仮名文字列に対応するリンク情報を前記画像リンクテーブルから検索し、検索結果のリンク情報で示される画像データ群を前記サーバに要求する手段と、サーバから返信された画像データ群を変換候補の画像データとして表示装置画面に表示する手段とを備えることを特徴とする情報処理システム。
【請求項２】
前記サーバは、前記クライアントから要求された画像データ群をデータ量を削減したカタログ画像群として返信する手段を備え、前記クライアントにおける変換候補の画像データ群の中のいずれかの画像データの確定操作による画像データの送信要求に対し、データ量を削減していない画像データを返信する手段を備えることを特徴とする請求項１に記載の情報処理システム。
【請求項３】
前記サーバは、前記クライアントにおいて確定操作された画像データの利用頻度に従いカタログ画像群の各カタログ画像の変換候補順位を並べ替える手段をさらに備えることを特徴とする請求項２に記載の情報処理システム。
【請求項４】
入力装置から入力された仮名文字列を辞書を参照して漢字混じり文字列に変換し、表示装置画面に表示させる情報処理プログラムであって、
前記入力装置から入力される仮名文字列に対し、変換候補となる複数の画像データについて通信回線で接続された画像データベースに記憶された画像データ群とのリンク情報を記憶した画像リンクテーブルと、前記入力装置から入力された仮名文字列に対する変換指示操作時に、当該仮名文字列に対応するリンク情報を前記画像リンクテーブルから検索し、検索結果のリンク情報で示される画像データ群を前記画像データベースに要求するステップと、画像データベースから返信された画像データ群を変換候補の画像データとして表示装置画面に表示させるステップを備えることを特徴とする情報処理プログラム。
【発明の詳細な説明】
【０００１】
【発明の属する技術分野】
本発明は、入力装置から入力された仮名文字列を辞書を参照して漢字混じり文字列に変換し、表示装置画面に表示するクライアントと、画像データを記憶した画像データベースを有し、前記クライアントからの要求に応じた画像データを通信回線を介して返信するサーバとから成る情報処理システムに関するものである。
【０００２】
【従来の技術】
従来、例えば次の特許文献１に開示されているような仮名漢字変換装置がある。
【０００３】
【特許文献１】
特開平９−６９０９１号公報
この特許文献１に開示された装置においては、入力装置から入力された仮名文字列に対し、漢字辞書を参照して変換候補となる漢字文字列群、または最も利用頻度の多い漢字文字列を表示画面に表示するようにしている。
このような機能は、パーソナルコンピュータで使用する日本語変換処理のアプリケーションソフトとして汎用化されている。
このような仮名漢字変換装置あるいはアプリケーションソフトを使用して文書を作成編集する場合、文書中に画像を挿入する場合がある。
【０００４】
従来の仮名漢字変換装置あるいはアプリケーションソフトにおいては、文書中に画像を挿入する場合、辞書内に予め用意された画像を仮名文字列によって検索して挿入する、あるいは文字の編集操作を一時停止し、辞書とは別に用意された画像ファイルを開き、この中の画像を選択して作成中の文書中に複写するといった方法がとられている。
【０００５】
【発明が解決しようとする課題】
しかしながら、辞書内に予め用意された画像を仮名文字列によって検索して挿入するという方法を採った場合、辞書中に用意する画像ファイルのサイズ、すなわち記憶装置の容量が肥大化してしまうという問題がある。
また、辞書とは別に用意された画像ファイルを使用するといった方法を採った場合、文字の編集操作を一時停止することになるため、画像の挿入という操作と文字の編集という操作を統一的な操作で実現できないという問題がある。
【０００６】
本発明の目的は、仮名漢字変換用の辞書を格納する記憶装置の容量を肥大化させることなく、かつ文字の編集操作と統一した操作で所望の画像を文書中に挿入することができる情報処理システム及びプログラムを提供することにある。
【０００７】
【課題を解決するための手段】
上記目的を達成するために、本発明に係る情報処理システムは、入力装置から入力された仮名文字列を辞書を参照して漢字混じり文字列に変換し、表示装置画面に表示するクライアントと、画像データを記憶した画像データベースを有し、前記クライアントからの要求に応じた画像データを通信回線を介して返信するサーバとから成る情報処理システムであって、
前記クライアントが、
前記入力装置から入力される仮名文字列に対し、変換候補となる複数の画像データについて前記画像データベースに記憶された画像データ群とのリンク情報を記憶した画像リンクテーブルと、前記入力装置から入力された仮名文字列に対する変換指示操作時に、当該仮名文字列に対応するリンク情報を前記画像リンクテーブルから検索し、検索結果のリンク情報で示される画像データ群を前記サーバに要求する手段と、サーバから返信された画像データ群を変換候補の画像データとして表示装置画面に表示する手段とを備えることを特徴とする。
また、前記サーバが、前記クライアントから要求された画像データ群をデータ量を削減したカタログ画像群として返信する手段を備え、前記クライアントにおける変換候補の画像データ群の中のいずれかの画像データの確定操作による画像データの送信要求に対し、データ量を削減していない画像データを返信する手段を備えることを特徴とする。
また、前記サーバが、前記クライアントにおいて確定操作された画像データの利用頻度に従いカタログ画像群の各カタログ画像の変換候補順位を並べ替える手段をさらに備えることを特徴とする。
【０００８】
本発明に係る情報処理プログラムは、入力装置から入力される仮名文字列に対し、変換候補となる複数の画像データについて通信回線で接続された画像データベースに記憶された画像データ群とのリンク情報を記憶した画像リンクテーブルと、前記入力装置から入力された仮名文字列に対する変換指示操作時に、当該仮名文字列に対応するリンク情報を前記画像リンクテーブルから検索し、検索結果のリンク情報で示される画像データ群を前記画像データベースに要求するステップと、画像データベースから返信された画像データ群を変換候補の画像データとして表示装置画面に表示させるステップを備えることを特徴とする。
【０００９】
【発明の実施の形態】
以下、本発明を実施する場合の一形態の図面を参照して具体的に説明する。
尚、システム内で扱われる画像には、イラスト画像に代表される、線画を構成するときに始点と終点を指定し、その間を線で結ぶベクター表示のものと、写真画像に代表される、ピクセルと呼ばれる点画によるラスター表示があるが、本説明ではこの両方の画像を区別しないで使用する。この為、説明上使用されている「画像」という言葉は、一般的には「図形」はベクター表示、「画像」はラスター表示の意味で使用されることが多いが、本発明上では「図形」は「画像」と同意で扱われベクター、ラスターいずれのものも区別しないで記述している。
【００１０】
図１は、本発明の実施形態であるクライアント・サーバシステム間のリンク状態を示す概要図である。
本システムは、変換候補となる画像データを保持するサーバ１０１と、画像リンクによりサーバ１０１から通信回線１１０を介して画像データを取得して利用する複数のクライアント１０６，１０９から成る。
尚、クライアント１０６，１０９は複数存在するクライアントの一部を表示したものであり、実際上はサーバ１０１に対してｎ個のクライアントにてシステムを構成する。
図中、サーバ１０１は、画像を集約管理する画像データベース１１２より構成され、画像データベース１１２の内容としてクライアント１０６，１０９に画像データとして引き渡される画像ファイル１０４、及び画像選択時に高速におおまかな画像を表示することを目的とした本来画像のサイズを縮小したカタログファイル１０３と、その画像に一意に対応付けられた画像名１０２との関連テーブル１０５がある。
【００１１】
仮名漢字変換操作によって画像を呼び出すクライアント１０６，１０９には、内部にサーバ１０１とのリンク関係を示す画像リンクテーブルＬＴＢを備えている。この画像リンクテーブルＬＴＢには、入力された仮名文字列に対して変換候補となる複数の画像候補名１０７，１１０と、その画像候補名の画像がサーバ１０１の画像データベース１１２中のどの画像ファイルに関連づけられるかを示すリンク先画像名１０８，１１１が登録されている。
画像リンクテーブルＬＴＢは、仮名漢字変換における漢字辞書ファイルに相当し、クライアント１０６，１０９で個々の候補画像数、候補表示順序を保持している。
サーバ１０１内の関連テーブル１０５に登録されている画像名１０２とクライアント１０６，１０９の画像リンクテーブルＬＴＢにあるリンク先画像名１０８，１１１は通信回線１１０を通じて１対１に結び付けられており、サーバ１０１はクライアント１０６，１０９から画像の呼び出し要求を受けると、画像名１０２に対応する画像選択用カタログ画像１０３または画像ファイル１０４を画像データベース１１２から検索して要求元のクライアント１０６，１０９に送信する。
画像を受け取ったクライアント１０６，１０９は、受け取った画像を表示装置（図示せず）の画面に表示する。
【００１２】
サーバ１０１ではクライアント１０６，１０９へ送り出した画像を管理し、画像データベース１１２内でクライアントからの呼び出し頻度（利用頻度）に従い、変換候補としての順位を整列し、次回呼び出し時に、利用頻度の高い画像を選択し易いようにする。
【００１３】
図２はクライアント１０６，１０９内の構成を示す機能構成図である。
図２を使用してクライアント１０６，１０９での構成および動作を説明する。
図２において、入力部２０１はキーボード、マウス等、入力機器より操作信号が入力される部分である。入出力制御部２０３は入力部２０１からの操作信号を受けると画面出力における位置計算を行い、画面に出力する為の出力部２０２へデータや制御信号を出力したり、仮名漢字変換キー入力時にはその後のデータを仮名漢字変換部２０４への引き渡しを行ったり、仮名漢字変換部２０４からの漢字候補や画像候補、変換後の漢字等を受け取り出力部２０２に送付する制御を行う。
出力部２０２は、入出力制御部２０３より画面上の位置、表示色等の制御信号と出力すべきデータを受け取り、これをディスプレイ画面に表示する。
仮名漢字変換部２０４は、入出力制御部２０３より引き渡されたデータを解析し、漢字変換候補を辞書部２０６から選択し、仮名で入力された文字列から漢字候補を割り当て入出力制御部２０３へ返す。
利用者は表示された漢字候補から必要な漢字を選択確定する。確定された漢字は入出力制御部２０３より出力部２０２へ確定漢字として表示される。
通常の仮名漢字変換は、この順序で実施されるが、入力部２０１からの要求が画像データの挿入であった場合、通常の仮名漢字変換における仮名文字変換と同様に画像候補表示用のファンクションキー（例えばＦ１）の打鍵により、通常の仮名漢字から図形変換への切り替えとする。
【００１４】
仮名漢字変換部２０４は、画像部２０５に表示を求める画像候補名を渡す。画像部２０５は辞書部２０６が扱う文字データと同様に、画面に表示すべき画像候補を頻度順にサーバ１０１から転送してもらうよう通信制御部２０７に画像入手要求を渡す。
その際、画像候補数及び画像候補数に見あう代理画像を候補として表示するよう仮名漢字変換部２０４に一応の返答を返す。同時に、通信制御部２０７はサーバ１０１との通信を試み、画像部２０５より引き渡された画像名をサーバ１０１に送信する。代理画像については後述する。
その後、サーバ１０１より表示すべき画像候補を順次受け取った通信制御部２０７は、画像部２０５に画像候補画像を引き渡す。
画像部２０５は仮名漢字変換部２０４、入出力制御部２０３を経て出力部２０２にて通常の仮名漢字変換における漢字候補出力と同様に画像候補の選択画面を出力し、利用する画像の確定を促す。
利用者による入力部２０１での確定操作よって画像候補の中のいずれか１つの画像が確定された場合、候補画面表示と同様に画像部２０５より通信制御部２０７を通して確定された画像をサーバ１０１より送付してもらうリクエストを発行する。これに対してサーバ１０１から受け取った画像は漢字と同様に入出力部２０３より出力部２０２へ確定確定として表示する。
【００１５】
図３は、サーバ１０１の機能構成ブロック図である。
図３において、通信制御部３０１はクライアント１０６，１０９からの画像転送要求を画像データ制御部３０２に引き渡す。
画像データ制御部３０２は通信制御部３０１より渡された画像転送要求に従って、要求された画像選択用カタログファイルの転送、カタログ画像中から選択された確定画像の画像ファイルの転送かの判断を行い、画像データベース１１２より必要画像を取り出し、通信制御部３０１に引き渡す。
また、クライアント１０６，１０９からの画像転送要求がカタログ画像中から選択した確定画像の転送要求であった場合、その画像の候補順位を上げ、利用頻度順とすることにより、別のクライアントからの呼び出しや、同一データの次回呼び出しに対する応答が前回より早くなるように画像データベース１１２に登録されているデータの並び替えを実施する。
【００１６】
図４〜図５は、画像リンクテーブルＬＴＢとサーバ１０１の画像データベース１１２とのリンク状態を例示したものである。
リンクの状態は画像候補を画面上に表示させ、画像を選択させる画像選択時と、選択完了後の画像確定時において、リンク先が異なる為、主にこの２つの状態で画像のリンクを説明する。
図４は、候補となる画像を選択する画像選択画面を表示させる場合のリンクの状態を示している。
図４の例では「ほし」という変換前文字に対して、Ｈｏｓｈｉ−２．ｊｐｇという名前の画像がリンクされていることを示している。
クライアント１０６，１０９から呼び出されるＨｏｓｈｉ−２．ｊｐｇというリンク先画像名は、サーバ１０１の画像データ制御部３０２を通り、画像データベース１１２に渡される。画像データベース１１２は、Ｈｏｓｈｉ−２．ｊｐｇと結び付けられている画像選択用カタログ画像を読出し、画像データ制御部３０２、通信制御部３０１を介してクライアント１０６，１０９へ転送する。
サーバ１０１の画像データ制御部３０２は、リンクされた画像の呼び出しを受けた時、呼び出し時のリクエストコードにより、画像選択用カタログファイルの画像か、カタログファイル中から選択された確定画像の画像かを振り分けてクライアント１０６，１０９のリクエストに応答する。
【００１７】
リンク方法はリンク例に示している通り、▲１▼プログラムによってリンクを定義する、▲２▼ＵＲＬでリンクを定義する、▲３▼ファイル位置でリンクを定義する等の方法があるが、▲１▼中のＲｅｑ＝ｃ、▲２▼中のＲｅｃ．ｃｇｉ＝ｃ等のようにリクエストをパラメータで指定して画像選択用カタログ画像からのリンク呼び出しを明示する方法と、▲３▼の￥ＫＯＵＨＯと言ったようにどのディレクトリ上に格納されているファイルかによって、画像選択用カタログ画像を明示する方法がある。
ただし、▲３▼の場合は呼び出し時に画像データ制御部３０２が、サーバ１０１で採用されているファイルシステムと相関を持って動作する必要があり、サーバ１０１で稼働するファイルシステムを一部修正する必要がある。
【００１８】
図５は、表示させる画像を確定した時のリンクの状態を示したものである。
画像が確定された場合の呼び出しにおいても、図４の画像選択時のリンクと何ら変更される部分はなく、▲１▼及び▲２▼のリンク方法の場合は例の通り、Ｒｅｑ＝ｋであるとか、Ｒｅｃ．ｃｇｉ＝ｋといった呼び出し時のパラメータにより、リンクして呼び出される画像ファイルを指定する。▲３▼の場合は￥ＫＥＴＴＥＩの下の画像ファイルを呼び出すことによって確定時のリンクを確保するが、これも図４の説明の通り、この呼び出し方法の場合、サーバ１０１で採用されているファイルシステムと相関を持って動作する必要があるため、画像選択時ど同様に、ファイルシステムを一部修正する必要がある。
【００１９】
図６〜図８は、画面遷移と内部の動作を、画像呼び出し時の状態に従って例示したものである。
図６は、仮名漢字変換を使用して画像を画面上に貼り付けるため、画像候補を表示させている途中の状態である。
ディスプレイには、画像リンクテーブルＬＴＢより入手したリンク先画像数に従い、サーバ１０１よりカタログ表示用のデータが送信されてきていないものまで、候補画面のエントリとして表示される。図６では、候補順位２〜４に示されるエントリが表示される。本発明では、カタログ表示用の画像データが送信されてきておらず、候補画面のエントリに表示される画像を代理画像と言う。
さらに、リンクテーブルＬＴＢの上位に位置するものから順番にリンクに従いサーバ１０１より画像選択用カタログファイルを入手し、ディスプレイ上の候補と差し替えを実施する。
図６では、画像エントリの１番目だけがサーバ１０１より画像選択用カタログファイルを入手して差し替えが実施された状態であり、この状態であっても利用者は表示された画像候補のみで画像の確定を実施できる。
【００２０】
図７は、図６の画像選択用カタログファイルの差し替えが全て完了した状態であり、画像選択画面内にカタログ画像が全て表示された状態である。
図７の例では、４件のエントリであるため、エントリが全て画面上に表示されているが、画像候補が多く画面内に収まらない場合は、通常の仮名漢字変換と同様にスクロールによる選択画面へと遷移する。
【００２１】
図８は、図７の画像候補より２番目のエントリの画像ｈｏｓｈｉ−ａを確定した状態である。
確定と同時にサーバ１０１からは実際に画面に貼り付けられる画像ファイルの転送（データ量を削減していないオリジナルの画像のファイル）を受け、これを画面に表示する。
さらに、クライアント１０６、１０９の画像リンクテーブルＬＴＢは確定を受けたリンク先画像名１０８のエントリを最上位に入れ替え、次回図形候補を表示させる場合に、今回確定を受けた画像が最優先で表示されるようにする。
サーバ１０１でも同様に確定を受けた画像エントリを最上位に入れ替える。
この作業により、クライアント１０６，１０９では利用者の操作性向上と、同時にサーバ１０１からは複数台のクライアントからの図形呼び出し要求における転送応答時間が、画像データ呼び出しの頻度順に従って向上する。
【００２２】
図９は、クライアント１０６，１０９における、仮名漢字変換機能から図形入力要求を受け、画像候補表示から確定され画面に挿入されるまでの処理の概要を示すフローチャートである。
クライアント１０６，１０９では候補表示されるべきキーワードが入力部２０１から入力されると、該当キーワードに幾つの候補数があるかを画像リンクテーブルＬＴＢのエントリからカウントする。（ステップ９０１）。
次にその候補数を元に画像候補分の選択画面を成形し（ステップ９０２）、画像選択を行うべく本来の画像を縮小簡易化したカタログ画像を表示する前に、そのカタログ画面が表示されるべき画像選択画面に代理の画像を配置する（ステップ９０３）。
画像の選択画面はこの時点でディスプレイ画面に表示されるが、カタログ画像の一つも入っていない代理画像のみでの画像選択画面として表示される。すなわち、図６に符号６０１で示すような代理画像の画像選択画面を表示する。
次に、画像選択画面中の候補から必要画像の選択、確定が入力部２０１で行われたかを確認する（ステップ９０４）。
【００２３】
画像選択を行う者は、たとえ確定すべき画像のカタログ画像が画面上に表示されない状態であっても、その頻度順に従った画像候補選択画面より必要な画像を選択して確定することができる。
画像候補選択画面より必要な画像が選択、確定されたかを判断し（ステップ９０５）、確定されていない場合は、画像候補選択画面中にカタログ画像が全て表示されているかを判定し（ステップ９０６）、カタログ画像が画像候補画面に全て表示されている場合は確定判定（ステップ９０４）に戻る。
表示されていないカタログ画像があれば、画像リンクテーブルＬＴＢの候補に挙がっているカタログ画像を、その頻度順に従った順に１つづつサーバ１０１より入手するよう、サーバ１０１にカタログ画像及び、そのカタログ画像の名前をリクエストして、これを入手する（ステップ９０７）。
サーバ１０１より受け取ったカタログ画像は、画像候補選択画面上に代理として表示されていた代理画像と差し替える（ステップ９０８）。
これにより、画像候補選択画面上にザーバ１０１より入手したカタログ画面が代理画像の変わりに表示される。表示されるのは、サーバ１０１より入手できたカタログ画像の１つ分であるため、まだ差し変わっていないカタログ画面をサーバ１０１より入手できるよう、次に表示すべきカタログ画面をリクエストできるようにエントリを進め（ステップ９０９）、画像の確定操作が行われたかの確認（ステップ９０４）に戻る。
【００２４】
画像の確定操作が行われた場合、サーバ１０１へ当該確定された画像（データ量を削減していない画像）を送付するようリクエストを発行する（ステップ９１０）。
さらに、確定された画像が、次回同一のキーワードにより呼び出しを受けた場合、画像リンクテーブルＬＴＢ上で確定された画像が一番先にリクエストされるようにリンク先画像名１０８を利用頻度順に並び替える（ステップ９１１）
その後、リクエストした画像がサーバ１０１より送信されてくるのを待ち（ステップ９１２，９１３）、サーバ１０１より画像を受け取った場合、これを確定画像として画面中に挿入表示して画像選択、確定処理を終了する（ステップ９１４）。
【００２５】
図１０は、サーバ１０１における画像リクエスト処理の概要を示すフローチャートである。
画像を送信するサーバ１０１は、クライアント１０６，１０９からのリクエストに従って要求されている画像を画像データベース１１２から検索して送り返す。
そのため、画像転送のリクエストを常時待っている（ステップ１００１）。
画像のリクエストを受付けたならば、受付けたリクエストを画像候補選択画面で使用するカタログ画像のリクエストか、カタログ画像中で確定された画像のリクエストかの判断を行い（ステップ１００２）、カタログ画像のリクエストの場合、画像データベース１１２よりカタログ画像を検索し、クライアント１０６，１０９に送信できるよう準備する（ステップ１００３）。
【００２６】
リクエストが確定画像のリクエストの場合、画像データベース１１２より当該確定画像を検索し、その画像をクライアント１０６，１０９に送付できるよう準備する（ステップ１００４）。さらに、この確定された画像の呼び出し順序を上位に変更し、次回、同一名称で当該画像に検索がかかった場合、今回よりも高速に検索が完了するよう画像データベース１１２への関連テーブル１０５を更新する（ステップ１００５）。
この後、送信準備の整ったリクエストされた画像をクライアント１０６，１０９に送付し（ステップ１００６）、サーバ１０１での処理を終了する。
【００２７】
【発明の効果】
以上のように本発明によれば、仮名漢字変換用の辞書を格納する記憶装置の容量を肥大化させることなく、かつ文字の編集操作と統一した操作で所望の画像を文書中に挿入することができ、多くの画像を含むような文書を容易に作成することが可能になるなどの効果が得られる。
また、変換候補となる画像については、データ量を削減したカタログ画像を表示し、そのカタログ画像の選択操作時に、データ量が削減されていないオリジナルの画像をサーバから取得することにより、変換候補群となる画像を表示するまでの応答速度を早くすることができるうえ、画像データの送信にかかる通信コストを低減することができる。
また、従来区別していた文字入力と画像入力とを隔たりなく操作できることに加え、その画像選択においては本来画面に挿入すべき画像のカタログ候補が画面上に表示されていない状態でも、同一人物が同一画像を入力する際に、以前の候補画面から選択候補の出現順序を容易に予測し、その予測によって画面への画像貼り付けを行うことができるなどの効果が得られる。
【図面の簡単な説明】
【図１】本発明に係る情報処理システムの実施の形態を示すシステム構成図である。
【図２】クライアント内の構成を示す機能ブロック図である。
【図３】サーバ内の構成を示す機能ブロック図である。
【図４】目的とする画像を選択する過程における画像選択時のクライアント、サーバ間の画像のリンク関係を示す説明図である。
【図５】目的とする画像を選択する過程における画像確定時のクライアント、サーバ間の画像のリンク関係を示す説明図である。
【図６】目的とする画像を選択する過程における画像候補表示途中の表示内容とクライアント、サーバ間の画像のリンク関係を示す説明図である。
【図７】目的とする画像を選択する過程における画像候補表示完了時の表示内容とクライアント、サーバ間の画像のリンク関係を示す説明図である。
【図８】目的とする画像を選択する過程における画像確定時の表示内容とクライアント、サーバ間の画像のリンク関係を示す説明図である。
【図９】クライアントにおける画像候補の表示および画像確定処理を示すフローチャートである。
【図１０】サーバにおける画像リクエストに対する処理を示すフローチャートである。
【符号の説明】
１０１…サーバ、１１２…画像データベース、１０２…画像名、１０３…画像選択画面用カタログ画像、１０４…画像ファイル、１０５…通信回線、１０６、１０９…クライアント、１０７…画像候補名、１０８、ＬＴＢ…画像リンクテーブル、１１０…画像候補名、１１１…リンク先画像名。
【図１】
2005010952.tif 000003
【図２】
2005010952.tif 000004
【図３】
2005010952.tif 000005
【図４】
2005010952.tif 000006
【図５】
2005010952.tif 000007
【図６】
2005010952.tif 000008
【図７】
2005010952.tif 000009
【図８】
2005010952.tif 000010
【図９】
2005010952.tif 000011
【図１０】
2005010952.tif 000012